(57)【要約】エレベータシステム及びモバイル装置を用いて、事前設定エレベータ呼び出しを実施及び使用するシステム及び方法が提供される。方法は、目的フロアを含むプログラムされた条件を有する事前設定エレベータ呼び出しを生成することと、モバイル装置上のユーザプロファイルに事前設定エレベータ呼び出しと、少なくとも１つの対応するトリガ条件とを記憶することと、対応するトリガ条件の検出に基づいて、事前設定エレベータ呼び出しを検索することと、検索した事前設定エレベータ呼び出しを実行することとを含む。
2019517964.tif 000002
【特許請求の範囲】
【請求項１】
エレベータシステム及びモバイル装置を用いて、事前設定エレベータ呼び出しを実施及び使用する方法であって、
目的フロアを含むプログラムされた条件を有する前記事前設定エレベータ呼び出しを生成することと、
前記モバイル装置上のユーザプロファイルに前記事前設定エレベータ呼び出しと、少なくとも１つの対応するトリガ条件とを記憶することと、
前記対応するトリガ条件の検出に基づいて、前記事前設定エレベータ呼び出しを検索することと、
前記検索した事前設定エレベータ呼び出しを実行することと
を含む、前記方法。
【請求項２】
前記検索した事前設定エレベータ呼び出しを実行する前に、前記事前設定エレベータ呼び出しの前記プログラムされた条件を変更することを通知でユーザに促すことであって、
前記通知は、前記事前設定エレベータ呼び出しの前記プログラムされた条件を変更するための入力インターフェースを含む、前記促すことをさらに含む、請求項１に記載の方法。
【請求項３】
前記検索した事前設定エレベータ呼び出しを実行した後に、前記事前設定エレベータ呼び出しの前記プログラムされた条件を変更することを通知でユーザに促すことであって、
前記通知は、前記事前設定エレベータ呼び出しの前記プログラムされた条件を変更するための入力インターフェースを含む、前記促すことをさらに含む、請求項１に記載の方法。
【請求項４】
前記事前設定エレベータ呼び出しの前記プログラムされた条件を変更することを通知でユーザに促すことであって、
前記通知は、前記モバイル装置上に表示されるグラフィカルユーザインターフェース（ＧＵＩ）、前記モバイル装置上に表示される対話型ビデオ、音声聴取入力機能を有する音声再生、及び振動パターン出力から成るグループから選ばれる１つである、前記促すことをさらに含む、請求項１に記載の方法。
【請求項５】
前記事前設定エレベータ呼び出しの前記プログラムされた条件を変更することを通知でユーザに促すことであって、
前記通知は、前記事前設定エレベータ呼び出しの前記プログラムされた条件を変更するための入力インターフェースを含み、
前記入力インターフェースは、前記モバイル装置上に表示されるグラフィカルユーザインターフェース（ＧＵＩ）、前記モバイル装置上に表示される対話型ビデオ、音声聴取入力機能を有する音声再生、及び振動パターン出力から成るグループから選ばれる１つ以上である、前記促すことをさらに含む、請求項１に記載の方法。
【請求項６】
前記事前設定エレベータ呼び出しの前記プログラムされた条件を変更することを通知でユーザに促すことであって、
前記ユーザに促すことは、前記モバイル装置が第１の無線通信領域の範囲内に移動することにより引き起こされ、
前記第１の無線通信領域内の第２の無線通信領域の範囲内に前記モバイル装置が移動すると、前記通知は終了し、前記エレベータ呼び出しが実行される、前記促すことをさらに含む、請求項１に記載の方法。
【請求項７】
前記対応するトリガ条件は、全地球測位システム（ＧＰＳ）またはセルラ塔を使用して、前記モバイル装置が定義領域内に存在することを検出することを含むジオフェンシング条件である、請求項１に記載の方法。
【請求項８】
前記対応するトリガ条件は、前記モバイル装置が定義領域内に存在することを検出することを含むジオフェンシング条件であり、
前記定義領域は、前記モバイル装置を三角測量すること、全地球測位システム（ＧＰＳ）、セルラ塔のうちの少なくとも１つを使用して前記モバイル装置を追跡すること、並びに既知の位置のＢｌｕｅｔｏｏｔｈ装置、近距離通信、ＷｉＦｉ、及びＺ−ｗａｖｅ無線通信装置のうちの少なくとも１つへの接続に基づいて概略位置を特定すること、のうちの少なくとも１つに基づいて特定される、請求項１に記載の方法。
【請求項９】
前記対応するトリガ条件はジェスチャであり、
前記ジェスチャは、前記モバイル装置を振ること、前記モバイル装置を軽く叩くこと、前記モバイル装置のカメラにより検出される動き、及び静止カメラにより検出される動きのうちの１つ以上、またはジェスチャの組み合わせであり、
異なるジェスチャまたはジェスチャの組み合わせは、異なる事前設定エレベータ呼び出しに対応する、請求項１に記載の方法。
【請求項１０】
前記エレベータ呼び出しに含まれる前記プログラムされた条件はさらに、開始フロア、特定のエレベータかごの要求、ペット指示、特別積載時間要求、大荷重指示、及びエレベータかご周囲環境設定のうちの１つ以上を含み、前記エレベータかご環境設定は、照明値及び楽曲選択を含む、請求項１に記載の方法。
【請求項１１】
前記対応するトリガ条件は、前記モバイル装置の位置、前記モバイル装置を軽く叩くこと、前記モバイル装置を振ること、前記モバイル装置のタッチスクリーンに触れること、前記モバイル装置のマイクロフォンを介した音声命令入力、前記モバイル装置の画像センサを介した画像入力、前記モバイル装置の前記画像センサを介したビデオ入力、及び前記モバイル装置の表面に組み込まれた物理的ボタンのうちの１つ以上である、請求項１に記載の方法。
【請求項１２】
前記対応するトリガ条件は、日付、時間、位置、スケジュール、リンクされたカレンダ、緊急事態、エレベータシステムセンサ値、及びモバイル装置センサ値のうちの１つ以上である、請求項１に記載の方法。
【請求項１３】
エレベータシステム及びモバイル装置を用いて、事前設定エレベータ呼び出しを実施及び使用するシステムであって、モバイル装置とエレベータとを備え、
前記モバイル装置は、
目的フロアを含むプログラムされた条件を有する前記事前設定エレベータ呼び出しを生成するように構成されたプロセッサと、
ユーザプロファイルに前記事前設定エレベータ呼び出しを記憶し、少なくとも１つの対応するトリガ条件を記憶するように構成されたメモリと
を含み、
前記エレベータは、
前記事前設定エレベータ呼び出しを受信して、１つ以上のエレベータかごを呼び出すように構成されたエレベータコントローラと、
前記エレベータコントローラから受信した前記事前設定エレベータ呼び出しに基づいて建物のフロア間を移動するように構成された前記１つ以上のエレベータかごと
を含む、前記システム。
【請求項１４】
前記検索した事前設定エレベータ呼び出しを実行する前に、前記事前設定エレベータ呼び出しの前記プログラムされた条件を変更するための通知を表示するように構成された前記モバイル装置上のタッチスクリーンディスプレイであって、
前記通知は、前記事前設定エレベータ呼び出しの前記プログラムされた条件を変更するための入力インターフェースを含み、
前記通知は、前記モバイル装置上に表示されるグラフィカルユーザインターフェース（ＧＵＩ）、前記モバイル装置上に表示される対話型ビデオ、音声聴取入力機能を有する音声再生、及び振動パターン出力から成るグループから選ばれる１つであり、
前記入力インターフェースは、タッチスクリーン、キオスク、セキュリティステーション、ビーコン、ホール呼び出し器具、ランタン、ブリッジ、ルータ、ネットワークノード、及びモバイル装置から成るグループから選ばれる１つ以上である、
前記タッチスクリーンディスプレイをさらに備える、請求項１３に記載のシステム。
【請求項１５】
前記ユーザに前記通知を表示することは、前記モバイル装置が第１の無線通信領域の範囲内に移動することにより引き起こされ、
前記第１の無線通信領域内の第２の無線通信領域の範囲内に前記モバイル装置が移動すると、前記通知は終了し、前記エレベータ呼び出しが実行される、請求項１４に記載のシステム。
【請求項１６】
前記対応するトリガ条件は、前記モバイル装置が定義領域内に存在することを検出することを含むジオフェンシング条件であり、
前記定義領域は、前記モバイル装置を三角測量すること、全地球測位システム（ＧＰＳ）、セルラ塔のうちの少なくとも１つを使用して前記モバイル装置を追跡すること、並びに既知の位置のＢｌｕｅｔｏｏｔｈ装置、近距離通信、ＷｉＦｉ、及びＺ−ｗａｖｅ無線通信装置のうちの少なくとも１つへの接続に基づいて概略位置を特定すること、のうちの少なくとも１つに基づいて特定される、請求項１３に記載のシステム。
【請求項１７】
前記対応するトリガ条件はジェスチャであり、
前記ジェスチャは、前記モバイル装置を振ること、前記モバイル装置を軽く叩くこと、前記モバイル装置のカメラにより検出される動き、及び静止カメラにより検出される動きのうちの少なくとも１つ以上、またはジェスチャの組み合わせであり、
異なるジェスチャは、異なる事前設定エレベータ呼び出しに対応し、
異なるジェスチャの組み合わせは、異なる事前設定エレベータ呼び出しに対応する、請求項１３に記載のシステム。
【請求項１８】
前記エレベータ呼び出しに含まれる前記プログラムされた条件はさらに、特定のエレベータかごの要求、グループ呼び出しの呼び出しに対する人数比、ペット指示、特別積載時間要求、大荷重指示、及びエレベータかご周囲環境設定のうちの１つ以上を含み、
前記エレベータかご環境設定は、照明値及び楽曲選択を含み、
前記対応するトリガ条件は、前記モバイル装置の位置、前記モバイル装置を軽く叩くこと、前記モバイル装置を振ること、前記モバイル装置のタッチスクリーンに触れること、前記モバイル装置のマイクロフォンを介した音声命令入力、前記モバイル装置の画像センサを介した画像入力、前記モバイル装置の前記画像センサを介したビデオ入力、前記モバイル装置の表面に組み込まれた物理的ボタン、日付、時間、位置、スケジュール、リンクされたカレンダ、緊急事態、エレベータシステムセンサ値、及びモバイル装置センサ値のうちの１つ以上である、請求項１３に記載のシステム。
【請求項１９】
エレベータシステム及びモバイル装置を用いて、事前設定エレベータ呼び出しを実施及び使用するコンピュータプログラム製品であって、前記コンピュータプログラム製品は、内部にプログラム命令が具現化されたコンピュータ可読記憶媒体を備え、プロセッサにより実行可能な前記プログラム命令は、前記プロセッサに、
目的フロアを含むプログラムされた条件を有する前記事前設定エレベータ呼び出しを生成することと、
前記モバイル装置上のユーザプロファイルに前記事前設定エレベータ呼び出しと、少なくとも１つの対応するトリガ条件とを記憶することと、
前記対応するトリガ条件の検出に基づいて、前記事前設定エレベータ呼び出しを検索することと、
前記検索した事前設定エレベータ呼び出しを実行することと
を実行させる、前記コンピュータプログラム製品。
【請求項２０】
追加プログラム命令を含む前記コンピュータプログラム製品であって、前記プロセッサにより実行可能な前記追加プログラム命令は、前記プロセッサに、
前記事前設定エレベータ呼び出しの前記プログラムされた条件を変更することを通知でユーザに促すことであって、
前記通知は、前記事前設定エレベータ呼び出しの前記プログラムされた条件を変更するための入力インターフェースを含む、前記促すことを実行させる、請求項１９に記載のコンピュータプログラム製品。
【発明の詳細な説明】
【技術分野】
【０００１】
本明細書に開示される内容は、概してエレベータサービス呼び出しに関し、より詳細には、事前設定エレベータサービス呼び出しに関する。
【背景技術】
【０００２】
エレベータのユーザは通常、いつどのようにエレベータを呼び出すかに関して、選択肢が限られている。さらに、今日のユーザは、エレベータ呼び出しを行うために特定の入力を提供しなければならない。例えば、エレベータのユーザは、エレベータロビー内の壁に装備されたボタンを押すこと、エレベータロビー内またはその近くのキオスクに触れることにより、エレベータ呼び出しを登録することができる、またはモバイル装置を使用して直接エレベータ呼び出しを行うことができる。モバイル装置のいくつかの例には、エレベータロビーまたはその近くのセンサで読み取られるＲＦＩＤカード、またはユーザがエレベータ呼び出しの入力を提供すると、エレベータ呼び出しを送信する無線電子装置が含まれる。特に、スマートフォンのアプリケーションが登場し、これにより、乗客はアプリケーションを開いて、今いる場所、行きたい場所を選択することにより、エレベータを手動で呼び出すことができるようになった。携帯装置は、携帯装置が自動で位置情報を提供するための第２の手段（例えばＧＰＳ位置、高度など）なしでは、固定呼び出し入力ボタン（例えばホール呼び出し）による暗示位置を利用できないため、このような出発位置の明示的な指示が必要となる。
【０００３】
しかしながら、自動的に呼び出しを引き起こす方法は、現在存在しない。さらに、例えばＲＦＩＤタグ及びボタン押下の事例では、乗客が初期設定のフロアとは異なる目的地に向かう場合、呼び出しを上書きする方法が存在しない。従って、ユーザがＲＦＩＤタグを使用してエレベータ呼び出しを入力するたびに、セキュリティデータベースに記憶されている初期設定のフロアが呼び出されるが、これは実際には間違った目的地であることがある。初期設定の目的地が入力された後に、乗客は意図する目的地を選択することも可能であるが、追加呼び出しであるため、配車成果は結果的に低下する。
【０００４】
従って、調整可能な自動エレベータ呼び出しを提供できる１つ以上の方法及びシステムが望まれている。
【発明の概要】
【課題を解決するための手段】
【０００５】
一実施形態によれば、エレベータシステム及びモバイル装置を用いて、事前設定エレベータ呼び出しを実施及び使用する方法が提供される。方法は、目的フロアを含むプログラムされた条件を有する事前設定エレベータ呼び出しを生成することと、モバイル装置上のユーザプロファイルに事前設定エレベータ呼び出しと、少なくとも１つの対応するトリガ条件とを記憶することと、対応するトリガ条件の検出に基づいて、事前設定エレベータ呼び出しを検索することと、検索した事前設定エレベータ呼び出しを実行することとを含む。
【０００６】
前述の特徴のうちの１つ以上に加えて、またはその代替として、さらなる実施形態は、検索した事前設定エレベータ呼び出しを実行する前に、事前設定エレベータ呼び出しのプログラムされた条件を変更することを通知でユーザに促すことを含んでもよく、通知は、事前設定エレベータ呼び出しのプログラムされた条件を変更するための入力インターフェースを含む。
【０００７】
前述の特徴のうちの１つ以上に加えて、またはその代替として、さらなる実施形態は、検索した事前設定エレベータ呼び出しを実行した後に、事前設定エレベータ呼び出しのプログラムされた条件を変更することを通知でユーザに促すことを含んでもよく、通知は、事前設定エレベータ呼び出しのプログラムされた条件を変更するための入力インターフェースを含む。
【０００８】
前述の特徴のうちの１つ以上に加えて、またはその代替として、さらなる実施形態は、事前設定エレベータ呼び出しのプログラムされた条件を変更することを通知でユーザに促すことを含んでもよく、通知は、モバイル装置上に表示されるグラフィカルユーザインターフェース（ＧＵＩ）、モバイル装置上に表示される対話型ビデオ、音声聴取入力機能を有する音声再生、及び振動パターン出力から成るグループから選ばれる。
【０００９】
前述の特徴のうちの１つ以上に加えて、またはその代替として、さらなる実施形態は、事前設定エレベータ呼び出しのプログラムされた条件を変更することを通知でユーザに促すことを含んでもよく、通知は、事前設定エレベータ呼び出しのプログラムされた条件を変更するための入力インターフェースを含み、入力インターフェースは、モバイル装置上に表示されるグラフィカルユーザインターフェース（ＧＵＩ）、モバイル装置上に表示される対話型ビデオ、音声聴取入力機能を有する音声再生、及び振動パターン出力から成るグループから選ばれる１つ以上である。
【００１０】
前述の特徴のうちの１つ以上に加えて、またはその代替として、さらなる実施形態は、事前設定エレベータ呼び出しのプログラムされた条件を変更することを通知でユーザに促すことを含んでもよく、ユーザに促すことは、モバイル装置が第１の無線通信領域の範囲内に移動することにより引き起こされ、第１の無線通信領域内の第２の無線通信領域の範囲内にモバイル装置が移動すると、通知は終了し、エレベータ呼び出しが実行される。
【００１１】
前述の特徴のうちの１つ以上に加えて、またはその代替として、対応するトリガ条件は、全地球測位システム（ＧＰＳ）またはセルラ塔を使用して、モバイル装置が定義領域内に存在することを検出することを含むジオフェンシング条件であることが、さらなる実施形態に含まれ得る。
【００１２】
前述の特徴のうちの１つ以上に加えて、またはその代替として、対応するトリガ条件は、モバイル装置が定義領域内に存在することを検出することを含むジオフェンシング条件であり、定義領域は、モバイル装置を三角測量すること、全地球測位システム（ＧＰＳ）、セルラ塔のうちの少なくとも１つを使用してモバイル装置を追跡すること、並びに既知の位置のＢｌｕｅｔｏｏｔｈ装置、近距離通信、ＷｉＦｉ、及びＺ−ｗａｖｅ無線通信装置のうちの少なくとも１つへの接続に基づいて概略位置を特定すること、のうちの少なくとも１つに基づいて特定されることが、さらなる実施形態に含まれ得る。
【００１３】
前述の特徴のうちの１つ以上に加えて、またはその代替として、対応するトリガ条件はジェスチャであり、ジェスチャは、モバイル装置を振ること、モバイル装置を軽く叩くこと、モバイル装置のカメラにより検出される動き、及び静止カメラにより検出される動きのうちの１つ以上、またはジェスチャの組み合わせであり、異なるジェスチャまたはジェスチャの組み合わせは、異なる事前設定エレベータ呼び出しに対応することが、さらなる実施形態に含まれ得る。
【００１４】
前述の特徴のうちの１つ以上に加えて、またはその代替として、エレベータ呼び出しに含まれるプログラムされた条件はさらに、開始フロア、特定のエレベータかごの要求、ペット指示、特別積載時間要求、大荷重指示、及びエレベータかご周囲環境設定のうちの１つ以上を含み、エレベータかご環境設定は、照明値及び楽曲選択を含むことが、さらなる実施形態に含まれ得る。
【００１５】
前述の特徴のうちの１つ以上に加えて、またはその代替として、対応するトリガ条件は、モバイル装置の位置、モバイル装置を軽く叩くこと、モバイル装置を振ること、モバイル装置のタッチスクリーンに触れること、モバイル装置のマイクロフォンを介した音声命令入力、モバイル装置の画像センサを介した画像入力、モバイル装置の画像センサを介したビデオ入力、及びモバイル装置の表面に組み込まれた物理的ボタンのうちの１つ以上であることが、さらなる実施形態に含まれ得る。
【００１６】
前述の特徴のうちの１つ以上に加えて、またはその代替として、対応するトリガ条件は、日付、時間、位置、スケジュール、リンクされたカレンダ、緊急事態、エレベータシステムセンサ値、及びモバイル装置センサ値のうちの１つ以上であることが、さらなる実施形態に含まれ得る。
【００１７】
一実施形態によれば、エレベータシステム及びモバイル装置を用いて、事前設定エレベータ呼び出しを実施及び使用するシステムが提供される。システムは、目的フロアを含むプログラムされた条件を有する事前設定エレベータ呼び出しを生成するように構成されたプロセッサ、及びユーザプロファイルに事前設定エレベータ呼び出しを記憶し、少なくとも１つの対応するトリガ条件を記憶するように構成されたメモリを備えるモバイル装置と、事前設定エレベータ呼び出しを受信して、１つ以上のエレベータかごを呼び出すように構成されたエレベータコントローラ、及びエレベータコントローラから受信した事前設定エレベータ呼び出しに基づいて建物のフロア間を移動するように構成された１つ以上のエレベータかごを備えるエレベータとを含む。
【００１８】
前述の特徴のうちの１つ以上に加えて、またはその代替として、さらなる実施形態は、検索した事前設定エレベータ呼び出しを実行する前に、事前設定エレベータ呼び出しのプログラムされた条件を変更するための通知を表示するように構成されたモバイル装置上のタッチスクリーンディスプレイを含んでもよく、通知は、事前設定エレベータ呼び出しのプログラムされた条件を変更するための入力インターフェースを含み、通知は、モバイル装置上に表示されるグラフィカルユーザインターフェース（ＧＵＩ）、モバイル装置上に表示される対話型ビデオ、音声聴取入力機能を有する音声再生、及び振動パターン出力から成るグループから選ばれる１つであり、入力インターフェースは、タッチスクリーン、キオスク、セキュリティステーション、ビーコン、ホール呼び出し器具、ランタン、ブリッジ、ルータ、ネットワークノード、及びモバイル装置から成るグループから選ばれる１つ以上である。
【００１９】
前述の特徴のうちの１つ以上に加えて、またはその代替として、ユーザに通知を表示することは、モバイル装置が第１の無線通信領域の範囲内に移動することにより引き起こされ、第１の無線通信領域内の第２の無線通信領域の範囲内にモバイル装置が移動すると、通知は終了し、エレベータ呼び出しが実行されることが、さらなる実施形態に含まれ得る。
【００２０】
前述の特徴のうちの１つ以上に加えて、またはその代替として、対応するトリガ条件は、モバイル装置が定義領域内に存在することを検出することを含むジオフェンシング条件であり、定義領域は、モバイル装置を三角測量すること、全地球測位システム（ＧＰＳ）、セルラ塔のうちの少なくとも１つを使用してモバイル装置を追跡すること、並びに既知の位置のＢｌｕｅｔｏｏｔｈ装置、近距離通信、ＷｉＦｉ、及びＺ−ｗａｖｅ無線通信装置のうちの少なくとも１つへの接続に基づいて概略位置を特定すること、以上のうちの少なくとも１つに基づいて特定されることが、さらなる実施形態に含まれ得る。
【００２１】
前述の特徴のうちの１つ以上に加えて、またはその代替として、対応するトリガ条件はジェスチャであり、ジェスチャは、モバイル装置を振ること、モバイル装置を軽く叩くこと、モバイル装置のカメラにより検出される動き、及び静止カメラにより検出される動きのうちの少なくとも１つ以上、またはジェスチャの組み合わせであり、異なるジェスチャは、異なる事前設定エレベータ呼び出しに対応し、異なるジェスチャの組み合わせは、異なる事前設定エレベータ呼び出しに対応することが、さらなる実施形態に含まれ得る。
【００２２】
前述の特徴のうちの１つ以上に加えて、またはその代替として、エレベータ呼び出しに含まれるプログラムされた条件はさらに、特定のエレベータかごの要求、グループ呼び出しの呼び出しに対する人数比、ペット指示、特別積載時間要求、大荷重指示、及びエレベータかご周囲環境設定のうちの１つ以上を含み、エレベータかご環境設定は、照明値及び楽曲選択を含み、対応するトリガ条件は、モバイル装置の位置、モバイル装置を軽く叩くこと、モバイル装置を振ること、モバイル装置のタッチスクリーンに触れること、モバイル装置のマイクロフォンを介した音声命令入力、モバイル装置の画像センサを介した画像入力、モバイル装置の画像センサを介したビデオ入力、モバイル装置の表面に組み込まれた物理的ボタン、日付、時間、位置、スケジュール、リンクされたカレンダ、緊急事態、エレベータシステムセンサ値、及びモバイル装置センサ値のうちの１つ以上であることが、さらなる実施形態に含まれ得る。
【００２３】
一実施形態によれば、エレベータシステム及びモバイル装置を用いて、事前設定エレベータ呼び出しを実施及び使用するコンピュータプログラム製品が提供される。コンピュータプログラム製品は、内部にプログラム命令が具現化されたコンピュータ可読記憶媒体を含み、プロセッサにより実行可能なプログラム命令は、プロセッサに、目的フロアを含むプログラムされた条件を有する事前設定エレベータ呼び出しを生成することと、モバイル装置上のユーザプロファイルに事前設定エレベータ呼び出しと、少なくとも１つの対応するトリガ条件とを記憶することと、対応するトリガ条件の検出に基づいて、事前設定エレベータ呼び出しを検索することと、検索した事前設定エレベータ呼び出しを実行することとを、実行させる。
【００２４】
前述の特徴のうちの１つ以上に加えて、またはその代替として、事前設定エレベータ呼び出しのプログラムされた条件を変更することを通知でユーザに促すことであって、通知は、事前設定エレベータ呼び出しのプログラムされた条件を変更するための入力インターフェースを含む、事前設定エレベータ呼び出しのプログラムされた条件を変更することを通知でユーザに促すことを、プロセッサに実行させる、プロセッサにより実行可能な追加プログラム命令が、さらなる実施形態に含まれ得る。
【００２５】
前述の特徴及び要素は、他に明示されない限り、非排他的に多様な組み合わせで組み合わせることができる。これらの特徴及び要素、並びにその動作は、以下の説明及び添付図面に照らして、より明らかになるであろう。しかし下記の説明及び図面は、本質的に例示及び説明を意図し、限定する意図はないことを理解されたい。
【００２６】
前述の特徴及び他の特徴、並びに本開示の利点は、添付の図面と併せて、下記の発明を実施するための形態から理解されよう。
【図面の簡単な説明】
【００２７】
【図１】本開示の１つ以上の実施形態による、エレベータシステムを示す。
【図２】本開示の１つ以上の実施形態による、エレベータシステム及びモバイル装置を用いて、事前設定エレベータ呼び出しを実施及び使用するシステムを示す。
【図３】本開示の１つ以上の実施形態による、エレベータシステム及びモバイル装置を用いて、事前設定エレベータ呼び出しを実施及び使用する方法及びシステムを使用して実行される動作を示す使用図を示す。
【図４】本開示の１つ以上の実施形態による、プログラムされ、記憶された複数の事前設定エレベータ呼び出しを含む表を示す。
【図５】本開示の１つ以上の実施形態による、エレベータシステム及びモバイル装置を用いて、事前設定エレベータ呼び出しを実施及び使用する方法及びシステムを使用して実行される動作を示す使用図を示す。
【図６】本開示の１つ以上の実施形態による、エレベータシステム及びモバイル装置を用いて、事前設定エレベータ呼び出しを実施及び使用する方法及びシステムを使用して実行される動作を示す。
【図７】本開示の１つ以上の実施形態による、エレベータシステム及びモバイル装置を用いて、事前設定エレベータ呼び出しを実施及び使用する方法のフロー図を示す。
【図８】本開示の１つ以上の実施形態による、エレベータシステム及びモバイル装置を用いて、事前設定エレベータ呼び出しを実施及び使用する方法のフロー図を示す。
【発明を実施するための形態】
【００２８】
本明細書に図示され説明されるように、本開示の様々な特徴が提示される。様々な実施形態は、同一または同様の特徴を有することができ、従って同一または同様の特徴は、同一の参照番号でラベル付けされ得るが、特徴が示される図を示す異なる第１の数字が先頭に付けられ得る。従って、例えば、図Ｘに示される要素「ａ」は、「Ｘａ」とラベル付けされ得、図Ｚにおける同様の特徴は、「Ｚａ」とラベル付けされ得る。同様の参照番号は一般的な意味で使用され得るが、様々な実施形態が説明され、様々な特徴は、当業者に理解される変化、変更、修正などを含んでもよく、これは明記されていてもいなくても、当業者に理解されよう。
【００２９】
本明細書に説明される実施形態は、エレベータシステム及びモバイル装置を用いて、事前設定エレベータ呼び出しを実施及び使用する方法及びシステムに関する。例えば、１つ以上の実施形態によれば、モバイル装置上のユーザプロファイルに事前設定エレベータ呼び出し、並びに事前設定エレベータ呼び出しを検索してエレベータに送信するための条件を記憶することができるシステムが提供される。あるいは、ユーザ固有の事前設定呼び出しプロファイルは、エレベータコントローラ、またはエレベータコントローラと通信する補助システム、例えば構内アクセスシステムに、記憶されてもよい。一実施形態によれば、事前設定エレベータ呼び出しは、建物ごとにユーザにより設定される。別の実施形態によれば、ユーザは、時間及び曜日に基づいて事前設定呼び出しをプログラムすることができる。さらに、別の実施形態によれば、各事前設定呼び出しは、開始フロア及び所望の目的フロアを含む。ユーザはまた、別の実施形態に従って、これらの事前設定呼び出しに関する優先度をプログラムすることができる。例えば、自分のアパートから出発しようとしているユーザは、自分のペットと移動しているため、特別なエレベータサービスを必要とし得る。別の例では、昼食後にユーザが多数の他の同僚と、オフィスのあるフロアに戻るという状況が挙げられる。これらの例のいずれに関しても、ユーザは、エレベータまでの所望の到達方法、及びエレベータ割り当て通知の所望の受信方法、例えば振動、音、画像、電子メール、またはテキストメッセージを定義する事前設定エレベータ呼び出しを設定することができる。１つ以上のこのような実施形態は、手が塞がっているユーザに便利な呼び出し入力方法を提供し得る。さらに、事前設定呼び出しが個別ユーザに合わせて動的に調整され得るように事前設定呼び出しをプログラムできることにより、ＲＦＩＤの初期設定のフロアが間違っている時に誤った呼び出しが入力される代わりに、このような動的な初期設定呼び出しの方法の使用を通して効率的で自動的なエレベータ呼び出しが提供される。
【００３０】
ここで図面を参照すると、図１は、１つ以上の実施形態による、エレベータシステム１００を示す。建物１０２に設置されたエレベータシステム１００が示される。いくつかの実施形態において、建物１０２は、オフィスビル、または物理的に互いの近くに位置してもしていなくてもよいオフィスビルの集合であり得る。建物１０２は、多数のフロアを含み得る。建物１０２に入る人々は、ロビーのフロア、または任意の他のフロアに入ることができ、エレベータ１０４内の特定のエレベータかご、例えば１０２−１などの１つ以上の搬送装置により、目的フロアへ行くことができる。いくつかの実施形態では、フロア位置は、マルチドアエレベータかごにおける一方のドア、もう一方のドア、または両方のドアに固有であり得ることに留意されたい。
【００３１】
エレベータ１０４は、コントローラ１０６などの１つ以上のコンピューティング装置に接続され得る。コントローラ１０６は、エレベータ１０４に対応付けられた１つ以上のエレベータかご（例えばかご１０４−１、１０４−２）の配送動作を制御するように構成され得る。異なるフロアに対応する異なるエレベータ列におけるエレベータかご間での調整を可能にするために、エレベータかご１０４−１及び１０４−２は、同じ昇降路または異なる昇降路に配置され得る。例示を容易にするために、エレベータシステム１００の他の構成要素（例えば駆動装置、釣合おもり、安全装置など）は描かれないことが理解されよう。
【００３２】
モバイル装置１０８も図１に示される。モバイル装置１０８には、電話、ＰＤＡ、ウェアラブル電子装置、ＲＦＩＤタグ、ラップトップ、タブレット、腕時計、または任意の他の既知の携帯モバイル装置など、通常人が携行する装置が含まれ得る。図１に示されるように、モバイル装置１０８は、プロセッサ１０８−２と、メモリ１０８−１と、通信モジュール１０８−３とを含み得る。プロセッサ１０８−２は、マイクロプロセッサ、マイクロコントローラ、デジタル信号プロセッサ、特定用途向け集積回路、プログラマブル論理装置、及び／またはフィールドプログラマブルゲートアレイなどの任意の種類のコンピュータプロセッサ、またはこれらの組み合わせであり得る。メモリ１０８−１は、モバイル装置１０８内に有形に具現化された非一時的コンピュータ可読記憶媒体の一例であり、実行可能命令を含み、例えばファームウェアとして記憶する。通信モジュール１０８−３は、本明細書においてさらに詳しく説明されるように、１つ以上の通信プロトコルを実施し得る。
【００３３】
図１に示されるように、コントローラ１０６は、プロセッサ１０６−２と、メモリ１０６−１と、通信モジュール１０６−３とを含み得る。プロセッサ１０６−２は、マイクロプロセッサ、マイクロコントローラ、デジタル信号プロセッサ、特定用途向け集積回路、プログラマブル論理装置、及び／またはフィールドプログラマブルゲートアレイなどの任意の種類のコンピュータプロセッサ、またはこれらの組み合わせであり得る。メモリ１０６−１は、コントローラ１０６内に有形に具現化された非一時的コンピュータ可読記憶媒体の一例であり、実行可能命令を含み、例えばファームウェアとして記憶する。通信モジュール１０６−３は、本明細書においてさらに詳しく説明されるように、１つ以上の通信プロトコルを実施し得る。
【００３４】
モバイル装置１０８及びコントローラ１０６は、相互に通信する。１つ以上の実施形態によれば、モバイル装置１０８とコントローラ１０６の間の通信は、選択された通信の種類に応じて、送信器、変換器、受信器、及び他の送信及び処理要素などの他のシステムを通して行われる。例えば、モバイル装置１０８及びコントローラ１０６は、互いに近接している（例えば閾値距離内である）時に、相互に通信し得る。モバイル装置１０８及びコントローラ１０６は、８０２．１１ｘ（ＷｉＦｉ）、短距離無線（Ｂｌｕｅｔｏｏｔｈ）、または任意の他の既知の種類の無線通信などの無線ネットワークを介して、通信し得る。いくつかの実施形態において、コントローラ１０６は、キオスク、ビーコン、ホール呼び出し器具、ランタン、ブリッジ、ルータ、ネットワークノードなどのネットワーク化された要素を含み得る、またはネットワーク化された要素に対応付けられ得る（例えば通信可能に接続され得る）。ネットワーク化された要素は、１つ以上の通信プロトコルまたは通信規格を使用して、モバイル装置１０８と通信し得る。例えば、ネットワーク化された要素は、近距離通信（ＮＦＣ）、または任意の種類の既知の有線もしくは無線通信手段を使用して、モバイル装置１０８と通信し得る。１つ以上の別の実施形態によれば、ネットワーク化された要素は、セルラネットワークにより、または建物の外の多数の他の装置を通るインターネットを介して、モバイル装置１０８と通信し得る。
【００３５】
別の実施形態において、コントローラ１０６は、建物１０２の外に存在するモバイル装置１０８と通信を確立し得る。この接続は、非限定的な実施例として、ＧＰＳ、三角測量、または信号強度検出を含む様々な技術により確立され得る。確立され得る通信接続には、セルラ接続、ＷｉＦｉ接続、Ｂｌｕｅｔｏｏｔｈ接続、ピアツーピア接続、衛星接続、ＮＦＣ接続、他の無線接続、さらにはＥｔｈｅｒｎｅｔケーブル、同軸ケーブル、または他のデータケーブルを使用する有線接続が含まれるが、これらに限定されない。これらの通信接続は、プライベートの安全な直接通信リンクから、複数の異なるサーバ、スイッチなどを通るインターネットを介したデータ伝送にまで及ぶ多数の異なるネットワークを使用して、モバイル装置１０８との間でデータを伝送し得る。前述の通信を可能にするような技術により、ユーザ及びシステムに、最も効率的な乗客の流れを確立するための時間がより多くもたらされ、ユーザがシステムと対話するために立ち止まる必要性は排除され得る。
【００３６】
モバイル装置、コントローラ、及びエレベータを使用するエレベータシステム及びモバイル装置を用いて、事前設定エレベータ呼び出しを実施及び使用する方法及びシステムの実施態様が、図２〜８を参照して説明される。
【００３７】
図２を参照すると、本開示の１つ以上の実施形態による、エレベータシステム２０４及びモバイル装置２０８を用いて、事前設定エレベータ呼び出しを実施及び使用するシステム２００が示される。
【００３８】
システム２００は、少なくとも１つのエレベータ２０４と、モバイル装置２０８と、ロビーセンサ２１１と、エレベータセンサ２１２とを含む。１つ以上の実施形態によれば、システム２００はまた、複数のモバイル装置、タッチスクリーン、固定ディスプレイ、及び／またはセンサを含み得る。エレベータ２０４は、１つ以上のかご２０４−１、２０４−２、並びにコントローラ２１０を含む。エレベータコントローラ２１０は、エレベータ２０４内に示されるが、図１に示されるように他の場所に配置されてもよい。
【００３９】
一実施形態によれば、事前設定エレベータ呼び出しを実施及び使用する方法は、開始フロア及び目的フロアを含むプログラムされた条件を有する事前設定エレベータ呼び出しを生成することを含む。一実施形態によれば、事前設定エレベータ呼び出しは、モバイル装置２０８において生成することができる。あるいは、別の実施形態によれば、事前設定エレベータ呼び出しは、エレベータコントローラ２１０により生成することができる。さらに、別の実施形態によれば、事前設定エレベータ呼び出しは、現場から離れたサーバまたは分散処理システムにより、クラウド型コンピューティング環境内の他の場所で生成されてもよい。
【００４０】
事前設定エレベータ呼び出しは、モバイル装置２０８上のユーザプロファイルに、少なくとも１つの対応するトリガ条件と共に記憶される。別の実施形態によれば、ユーザプロファイルは、コントローラ上またはクラウドコンピューティングリソース内などの他の場所に記憶される。さらに、対応するトリガ条件の検出に基づいて、事前設定エレベータ呼び出しが検索され、その後実行される。トリガ条件は、センサ２１１、２１２により検出可能な条件であり得る。１つ以上の実施形態によれば、多数の異なる事前設定呼び出しが提供される。例えば、時間が特定された事前設定呼び出しが提供され得る。別の実施形態では、事前設定呼び出しは、場所が特定されたものである。さらに、事前設定呼び出しは、曜日が特定されたものであり得る。さらに、事前設定呼び出しは、多数の異なる値及び指示を含むことができる。例えば、事前設定呼び出しは、出発フロア、目的フロア、人数、特別な要求（ペット、カート、バイクなど）を含むことができる。
【００４１】
別の実施形態によれば、トリガ条件は、ある情報が受信された場合に満たされるデータ条件であり得る。さらに別の実施形態によれば、トリガ条件は、特定の時間に到達した、特定の場所に位置する、及び／または特定の装置が検出された場合であり得る。例えば、ジオフェンシングをトリガとして使用することができる。ジオフェンシングは、ＧＰＳベース、Ｂｌｕｅｔｏｏｔｈ近接度ベース、または任意及び全ての他の位置検知方法であり得る。特に、空間内の特定の場所に結び付けられた事前設定呼び出しが要望される場合に、ジオフェンシングトリガは使用される。よって、ユーザは、この空間へ入場することを、コマンドを起動するトリガイベントとしてプログラムし得る。従って、空間への入場または空間からの退出の検出は、トリガ情報としての役割を果たす。ジオフェンシングは、多数の異なるローカル無線信号送信装置及び受信器を使用して実施することができる、またはセルラネットワーク、衛星ネットワーク、及び分散型ＷｉＦｉネットワークなどの大規模な無線ネットワークを使用することができる。例えば、「トリガ」は、信号通信を提供するのに十分な近接度ではなく、場所により計算されるように、常時無線接続（例えばセルラネットワーク）を用いてジオフェンシングを使用してもよい。
【００４２】
例えば図３は、本開示の１つ以上の実施形態による、エレベータシステム及びモバイル装置を用いて、事前設定エレベータ呼び出しを実施及び使用する方法及びシステムを使用して実行される動作を示す使用図を示す。図示されるように、最初に、１つ以上の事前設定呼び出しが、ユーザのアプリケーションプロファイル内で設定される。図示されるように、事前設定呼び出しは、全ての情報を簡単なテキストで提示するＧＵＩ３０４に表示され得る。例えば、図３において、ＧＵＩ３０４は、事前設定呼び出し及びその条件のリストを表示する。例えば、第１の呼び出しは、午前９時に１階から出発して１５階へ行くように設定されていることが表示され、呼び出しを開始するトリガイベントは、モバイル装置３０８を振ることである。また第２の呼び出しは、午前９時〜午前１０時に１５階から出発して３階へ行くように設定されていることが表示され、呼び出しを開始するトリガイベントは、モバイル装置３０８を軽く叩くことである。振ること及び軽く叩くことは、ユーザ開始動作の非限定的な実施例として使われていることに留意されたい。
【００４３】
次に、ユーザは、建物３０６の無線通信ネットワークの範囲内に入る（動作３５０）。無線ネットワーク３０６は、ＷｉＦｉネットワーク、Ｂｌｕｅｔｏｏｔｈネットワーク、またはＧＰＳなどの他の近接度ベースネットワーク類であり得る。図示されるように、ユーザ３０２は無線通信ネットワーク３０６内に入り、同様にモバイル装置３０８も入っている。モバイル装置３０８が無線ネットワーク３０６の範囲内に一旦入ると、ユーザ３０２は、事前設定呼び出しに対応付けられたトリガのうちのいずれかを提供するだけでよく、トリガにより引き起こされたその事前設定呼び出しに定義されたパラメータに従って、エレベータが呼び出される。例えば、図示されるように、ユーザ３０２は、範囲内にいる間にユーザデバイス３０８を振ること３１２を実行し得、これにより事前設定呼び出しの起動及び送信３１０が引き起こされる（動作３６０）。別の実施形態によれば、ジオフェンシングの実施態様としては必要のなかった近接度は、ジェスチャベースシステムにも提供され得る。
【００４４】
別の実施形態によれば、任意の他の既知のジェスチャも、事前設定呼び出しを開始するトリガとして使用され得る。例えば、装置は、フリック、揺動、回転されてもよく、または異なる動きの組み合わせを受けてもよい。ジェスチャのうちのいずれか１つまたはジェスチャの組み合わせはそれぞれ、異なる事前設定エレベータ呼び出しに対応付けられ得る。
【００４５】
別の実施形態によれば、ユーザ３０２は、モバイル装置３０８内のカメラまたは例えば図２に示される他の場所に配置されたビデオセンサにより検出される自分の手、顔、または身体の動きで、ジェスチャを行い得る。別の実施形態によれば、ユーザ３０２は、モバイル装置３０８内に配置されたマイクロフォンまたは他の場所に配置された音声センサにより検出される話し言葉を含む発話または発声を行い得る。
【００４６】
図４は、本開示の１つ以上の実施形態による、プログラムされ、記憶された複数の事前設定エレベータ呼び出し４１０、４２０、及び４３０を含む表４００を示す。表４００は、モバイル装置の表示スクリーン上に表示されても、されなくてもよい。表４００は、ユーザの事前設定エレベータ呼び出しアプリケーションにユーザアクセスを提供する他の装置上でも見ることができる。示されるように、事前設定エレベータ呼び出しはそれぞれ、多数のプログラムされた条件を含み得る。例えば、事前設定エレベータ呼び出し４１０は、開始フロアが１階と、終了フロアが１５階とを含むプログラムされた条件を有する。事前設定エレベータ呼び出し４１０はまた、事前設定エレベータ呼び出しが有効である時間帯に関するプログラムされた条件を有する。示されるように、事前設定エレベータ呼び出し４１０は、乗客が所定の日に初めて建物に入った場合という状況に対応することが意図され得るため、午前９時前に有効にされている。他のプログラムされた条件には、優先度、及び事前設定エレベータ呼び出しの特定トリガが含まれる。例えば、示されるように、事前設定エレベータ呼び出し４１０は、通常の優先度を含み、無線装置とエレベータとの間の近接値によって引き起こされる。別の例の事前設定エレベータ呼び出し４２０は、午前９時〜午前１０時の時間範囲、１５階から開始、３階で終了、ＶＩＰ移動優先度設定、及び電話を軽く叩くトリガを含む。例えば、企業の取締役会が３階で予定されており、企業のＣＥＯが１５階にいる場合、時間通りにＣＥＯが会議に出席するために、ＣＥＯのエレベータ呼び出しが確実に優先されるよう特別ＶＩＰステータスがＣＥＯに付与され得る。別の実施形態によれば、病院の環境で、医者が３階の患者に直ちに対応する必要がある場合、一番近いエレベータを直ちに送り、途中停車なしで所望の階まで目的地設定を行うＶＩＰエレベータ呼び出しを要求する資格が、医者に与えられ得る。エレベータに既にプログラムされていたいずれの予定動作も、別のエレベータにより交代することができる、またはそのエレベータの待ち行列に入れて遅らせることができる。別の実施例の事前設定エレベータ呼び出し４３０は、午後の時間範囲、１階から開始、５階へ移動、通常の移動優先度に設定され、及び電話を振ることにより引き起こされるように設定された、プログラムされた条件を有し得る。１つ以上の実施形態によれば、ＶＩＰ移動優先度は、優先されたエレベータ呼び出しを提供することができ、並びに、一般ユーザには通常提供されない他の特別対応要求の中で、単独移動を要求することができる。この優先度制御は、建物管理により付与され得る。さらに、図示されるＧＵＩ４００に含まれ得る「＋」ボタンにより、ユーザは、追加の事前設定エレベータ呼び出しをプログラムすることができる。１つ以上の別の実施形態によれば、他のプログラムされた条件が含められてもよく、削除されてもよい。他のプログラムされた条件のいくつかの例には、多数の同乗客、呼び出しを確定する追加ジェスチャ、積載状況での特定ドア待機時間、及び多数の異なるトリガまたは組み合わせトリガが含まれる。例えば、電話を振ることと口頭命令の両方、または顔のポーズと特定の場所の両方を、必要とする。
【００４７】
他のトリガは連続的であってもよく、例えば、ユーザが何時に建物に入ったかにかかわらず、ロビーから始まるその日のユーザの「最初」の行程は、自分のいつものオフィスフロアに行くことであり、ユーザの次の行程は、カフェテリアのフロアまたは他のフロアに行くことであり、これは、１日の時間帯ではなく、行動の順序に従って優先付けられる。
【００４８】
図５は、本開示の１つ以上の実施形態による、エレベータシステム及びモバイル装置を用いて、事前設定エレベータ呼び出しを実施及び使用する方法及びシステムを使用して実行される動作を示す使用図を示す。
【００４９】
図示されるように、最初に、１つ以上の事前設定呼び出しが、ユーザのアプリケーションプロファイル内で設定される。図示されるように、事前設定呼び出しは、全ての情報を簡単なテキストで提示するＧＵＩ５０４に表示され得る。例えば、図５において、ＧＵＩ５０４は、事前設定呼び出し及び条件のリストを表示する。例えば、第１の呼び出しは、午前９時に１階から出発して１５階へ行くように設定されていることが表示され、呼び出しを開始するトリガイベントは、モバイル装置５０８を振ることである。また第２の呼び出しは、午前９時〜午前１０時に１５階から出発して３階へ行くように設定されていることが表示され、呼び出しを開始するトリガイベントは、モバイル装置５０８を軽く叩くことである。
【００５０】
次に、ユーザは、建物５０２の無線通信ネットワークの範囲内に入る（動作５５０）。別の実施形態によれば、セルラまたは衛生ネットワークなどの多数の大規模な無線ネットワークを使用して、ジオフェンシング領域が定義され、検出され得る。無線ネットワーク５０２は、ＷｉＦｉネットワーク、Ｂｌｕｅｔｏｏｔｈネットワーク、または他の無線ネットワーク類であり得る。図示されるように、ユーザ５０６は無線通信ネットワーク５０２内に入り、並びにモバイル装置５０８も入っている。モバイル装置５０８が無線ネットワーク５０２の範囲内に一旦入ると（これもＧＰＳまたはセルラ三角測量を使用して特定され得る）、ジオフェンシングをトリガとして使用して、引き起こされた事前設定呼び出しに定義されたパラメータに従ってエレベータを呼び出すことができるため、ユーザ５０６は任意の他のトリガを提供しなくてもよい。例えば、図示されるように、ユーザ５０６は、ユーザ装置５０８と共に無線通信領域５０２に入ることができ、これにより事前設定呼び出しの起動及び送信５１０が引き起こされる（動作５６０）。
【００５１】
別の実施形態によれば、多数のジオフェンシング区域が、いずれも事前設定エレベータ呼び出しを開始するトリガとして使用することができる近接送信領域または意図的に重複した送信領域に、注意深く配置することができる。例えば、ユーザ装置５０８は、呼び出しを引き起こすことができる区域を離れることが検出され得る、または別の事前設定呼び出しを引き起こすことができる２つ以上の区域内で検出され得る。従って、ジオフェンシング区域のうちのいずれか１つまたはジオフェンシング区域の組み合わせはそれぞれ、異なる事前設定エレベータ呼び出しに対応付けられ得る。
【００５２】
図６Ａ〜６Ｄは、本開示の１つ以上の実施形態による、エレベータシステム及びモバイル装置を用いて、事前設定エレベータ呼び出しを実施及び使用する方法及びシステムを使用して実行される動作を示す。具体的に、方法は、第１の領域６０６に入ってから第２の領域６６０に入る前までの時間に、事前設定エレベータ呼び出しを修正する選択肢を含む。
【００５３】
具体的に、図示されるように、図６Ａにおいて、ユーザ６０２は、無線通信を通して他の装置及びシステムと通信することができるユーザ装置６０８を有する。図示されるように、ユーザ６０２は、モバイル装置６０８と共に、ベクトル経路６２１に沿ってエレベータゲート６２０に向かって移動している。ユーザ６０２及びモバイル装置６０８がエレベータに向かって移動すると、ユーザ６０２及びモバイル装置６０８は、第１の無線通信領域６０６に入る、またはＧＰＳもしくはセルラ三角測量を使用して検出される定義位置にいることが特定される。図示されるように、領域内の装置がそのネットワーク上で通信することができる広域に、領域は定義される。従って、図６Ａに示されるように、通信領域６０は広く、ユーザ６０２及びモバイル装置６０８は、エレベータ及びエレベータ列に導くゲート６２０、並びに装置が無線に通信することができるより小さい領域を占める第２の無線通信領域６６０の両方からまだ離れていても、この領域６０６内に存在することができる。
【００５４】
図６Ｂに移ると、ユーザ６０２が第１の無線通信領域６０６に入ると、ユーザは、モバイル装置６０８上に通知６０９を受信する。通知６０９はユーザに、前述の方法で引き起こされたモバイル装置６０８により要求された自動事前設定エレベータ呼び出しを修正、上書き、またはキャンセルする選択肢があることを知らせる。例えば、別の実施形態によれば、同じく領域６０６への入場は、事前設定エレベータ呼び出しトリガとして機能することができる。修正通知６０９はユーザに、既に送信された特定の事前設定エレベータ呼び出し、及びユーザ６０２が利用可能な修正選択肢を知らせ得る。例えばユーザは、数ある中でも特定のエレベータのキャンセル、調整、乗客数の調整、エレベータの到着時間の調整、及び目的フロアの調整を行うことにより、エレベータ呼び出しを修正することができ得る。例えば図示されるように、「５階へのエレベータ初期設定要求」と題された事前設定エレベータ呼び出しがユーザ６０２に表示され、さらにユーザ６０２は「修正またはキャンセル」を促される。第２のトリガに基づいて、限定された継続時間中に事前設定エレベータ呼び出しを修正する選択肢が、ユーザ６０２に提供される。この限定された継続時間は、数秒から、数分、数時間、または数日まで、大きく異なり得る。
【００５５】
ここで図６Ｃを参照すると、第２の無線通信領域６６０内にユーザ６０２が移動することが示され、これによりモバイル装置６０８は無線ネットワーク６６０と通信することができる。あるいは、空間への入場は、ＧＰＳまたはセルラリソースを使用して特定することができる。図示されるように、第２の無線通信領域６６０に入るとモバイル装置６０８は、修正時間枠内にユーザにより与えられる修正の有無にかかわらず、事前設定エレベータ呼び出しをエレベータへ送信する６１０ことから、第２の無線通信領域６６０は無線範囲６６０と称される。一実施形態では、ユーザ６０２は、無線通信領域６６０内にいる間に呼び出しを修正することが可能であり得る。一実施形態では、ユーザ６０２は、無線通信領域６６０内にいる間に、呼び出されたエレベータが到着する時間まで、呼び出しを修正することが可能であり得る。一実施形態では、ユーザ６０２は、無線通信領域６６０内にいる間に呼び出しを修正することを禁止され得る。エレベータは、事前設定エレベータ呼び出しを使用して、事前設定エレベータ呼び出し内に提供されるプログラムされた条件に基づいて、エレベータかごを呼び出す。
【００５６】
さらに、ここで図６Ｄを参照すると、一度呼び出しが行われると、エレベータシステムは、割り当てをユーザに送信し６１２、ゲート６２０を開いて、ユーザ６０２にエレベータ列へのアクセスを提供する。
【００５７】
図７は、本開示の１つ以上の実施形態による、エレベータシステム及びモバイル装置を用いて、事前設定エレベータ呼び出しを実施及び使用する方法７００のフロー図を示す。方法７００は、開始フロア及び目的フロアを含むプログラムされた条件を有する事前設定エレベータ呼び出しを生成すること（動作７０５）を含む。さらに、方法７００はまた、モバイル装置上のユーザプロファイルに事前設定エレベータ呼び出しと、少なくとも１つの対応するトリガ条件とを記憶すること（動作７１０）を含む。さらに、方法７００は、対応するトリガ条件の検出に基づいて事前設定エレベータ呼び出しを検索すること（動作７１５）、及び検索した事前設定エレベータ呼び出しを実行すること（動作７２０）を含む。
【００５８】
図８は、本開示の１つ以上の実施形態による、エレベータシステム及びモバイル装置を用いて、事前設定エレベータ呼び出しを実施及び使用する方法８００のフロー図を示す。
【００５９】
方法８００は、開始フロア及び目的フロアを含むプログラムされた条件を有する事前設定エレベータ呼び出しを生成すること（動作８０５）を含む。さらに、方法８００はまた、モバイル装置上のユーザプロファイルに事前設定エレベータ呼び出しと、少なくとも１つの対応するトリガ条件とを記憶すること（動作８１０）を含む。さらに、方法８００は、対応するトリガ条件の検出に基づいて事前設定エレベータ呼び出しを検索すること（動作８１５）を含む。さらに、方法８００は、検索した事前設定エレベータ呼び出しを実行する前に、事前設定エレベータ呼び出しのプログラムされた条件を変更することを通知でユーザに促すこと（動作８２０）を含む。一実施形態によれば、通知は、事前設定エレベータ呼び出しのプログラムされた条件を変更するための入力インターフェースを含む。最後に、方法８００は、検索した事前設定エレベータ呼び出しを実行すること（動作８２５）を含む。
【００６０】
１つ以上の別の実施形態によれば、通知は、モバイル装置のグラフィカルユーザインターフェース（ＧＵＩ）上に表示される通知、モバイル装置上に表示される対話型ビデオ、音声再生、色光出力、及び振動、光、または音パターン出力から成るグループから選ばれる１つである。上記は、通知方法の非限定的な例として提供される。
【００６１】
さらに、１つ以上の別の実施形態によれば、入力インターフェースは、モバイル装置の具体的な位置を特定するために信号を送受信するように構成されたアンテナアレイ、モバイル装置のタッチスクリーン部分上に表示される１つ以上のボタンを有するＧＵＩ、モバイル装置の筐体に組み込まれた物理的ボタン、マイクロフォン、１つ以上の画像センサ、及びモバイル装置に統合された１つ以上の電気機械的ジェスチャセンサから成るグループから選ばれる１つ以上である。
【００６２】
１つ以上の別の実施形態によれば、エレベータ呼び出しに含まれるプログラムされた条件はさらに、特定のエレベータかごの要求、グループ呼び出しの呼び出しに対する人数比、ペット指示、特別積載時間要求、大荷重指示、及びエレベータかご周囲環境設定のうちの１つ以上を含み、エレベータかご環境設定は、照明値及び楽曲選択を含む。
【００６３】
１つ以上の別の実施形態によれば、対応するトリガ条件は、モバイル装置の位置、モバイル装置を軽く叩くこと、モバイル装置を振ること、モバイル装置の他の動作、モバイル装置のタッチスクリーンに触れること、モバイル装置のマイクロフォンを介した音声命令入力、モバイル装置の画像センサを介した画像入力、モバイル装置の画像センサを介したビデオ入力、及びモバイル装置の表面に組み込まれた物理的ボタンのうちの１つ以上である。
【００６４】
さらに、１つ以上の別の実施形態によれば、対応するトリガ条件は、日付、時間、位置、スケジュール、リンクされたカレンダ、緊急事態、エレベータシステムセンサ値、及びモバイル装置センサ値のうちの１つ以上である。例えば、建物内のどこか他の場所で緊急事態が起こり、ユーザが危険にさらされる場合、ユーザがそのような状況があることをまだ知らなくても、ユーザのために事前設定呼び出しを自動で入力することができ、これにより必須の応答時間が節約される。別の実施例によれば、ユーザは、建物内を移動する際に従う設定スケジュールを有し得る。例えば、警備員または郵便配達員がそうである。従って、このようなユーザは、ユーザのために事前設定呼び出しを引き起こす設定スケジュールをプログラムすることができ、よってユーザは、必要に応じて建物内をより簡単に移動することができる。
【００６５】
本開示は、限られた数の実施形態のみに関連して詳しく説明されたが、本開示がそのような開示された実施形態に限定されないことは、容易に理解されよう。むしろ本開示は、前述されていないが、本開示の範囲に相応する任意の数の変形、変更、代替、組み合わせ、部分的組み合わせ、または均等な調整を組み込むように修正することができる。さらに、本開示の様々な実施形態が説明されたが、本開示の態様は、説明された実施形態のうちのいくつかのみを含み得ることを理解されたい。
【００６６】
例えば、別の実施形態によれば、事前設定の条件に基づいて目的地への自動エレベータ呼び出しを引き起こす方法が提供され得る。この実施形態では、ユーザは、自宅または自分のオフィスに到着する。ユーザのモバイル装置は、ユーザのＧＰＳ位置が、事前設定呼び出し内の自宅／オフィスと一致することを認識する。次にモバイル装置は、ユーザプロファイルから事前設定の目的フロアを検索し、それをエレベータシステムへ送信する。ＧＰＳは人がどのフロアにいるかを特定できないため、初期設定の玄関フロアと推測されるか、初期設定の玄関フロアがユーザプロファイルに設定される。
【００６７】
別の実施形態において、ユーザは、建物内のフロア上の検出領域を入力する。モバイル装置は、ＢｌｕｅｔｏｏｔｈまたはＷｉＦｉ信号の強度の変化を認識し、無線装置との交渉を通してどのフロアにいるのかを特定し、事前設定呼び出しを検索し、それをエレベータシステムへ送信する。このような実施形態の１つの可能性のある利点は、手が塞がっているユーザに便利な呼び出し入力方法を提供することである。
【００６８】
さらに、別の実施形態によれば、Ｂｌｕｅｔｏｏｔｈモバイルリーダが建物内に設置され、互換性のあるアプリケーションを実行するモバイル装置を携えたユーザが建物に入る。ユーザは、アプリケーション内で、自分の初期設定のエレベータ目的地を設定することができる。この目的地は、ユーザのモバイル装置がＢｌｕｅｔｏｏｔｈモバイルリーダに近接すると、自動で入力される。さらに、リーダ範囲を拡張することにより、ユーザは、Ｂｌｕｅｔｏｏｔｈリーダから遠く離れていても、通知で催促され得る。次にユーザは、リーダにより近い自動呼出し範囲に入る前に、通知をタップして、事前設定エレベータ呼び出しを変更することができる。この実施形態は、アクセス制御の有無にかかわらず、システムにおいて実現することができる。アクセス制御がある場合は、クレデンシャルをモバイル装置上に保持し、エレベータ要求と共に送信することができる。従って、今日のＲＦＩＤ実施態様では不可能な、呼び出しを上書きするための１つ以上の手段が提供され得る。
【００６９】
別の実施形態によれば、前述のように、ユーザのジェスチャまたは動作に基づいて自動エレベータ呼び出しを引き起こす方法が提供され得る。この実施形態では、事前設定エレベータ目的地及びトリガ条件は、ユーザのプロファイル内に事前に設定される。ユーザがエレベータロビー近くに到着すると、ユーザのモバイル装置は、エレベータシステムとの通信を開始する。次にユーザは、自分の電話を振るまたは軽く叩くことで、電話のアプリケーションに、事前設定呼び出しを検索させ、それをエレベータシステムへ送信させる。この実施形態は、手が塞がっているユーザに便利な呼び出し入力方法を提供する。
【００７０】
本明細書において使用される用語は、特定の実施形態を説明することのみを目的としており、限定する意図はない。本明細書において使用されるとき、単数形「ａ」、「ａｎ」、及び「ｔｈｅ」は、文脈上別に明示されない限り、複数形も含むことが意図される。用語「ｃｏｍｐｒｉｓｅｓ（備える）」及び／または「ｃｏｍｐｒｉｓｉｎｇ（備える）」は、本明細書において使用される場合、述べられる特徴、完全体、ステップ、動作、要素、及び／または構成要素の存在を明示するが、１つ以上の他の特徴、完全体、ステップ、動作、要素、構成要素、及び／またはそれらの群の存在もしくは追加を除外しないことが、さらに理解されよう。
【００７１】
下記の特許請求の範囲における全ての手段またはステップと機能要素の対応する構造、材料、動作、及び均等物は、具体的に特許請求される他の特許請求要素と組み合わせて機能を実行するための任意の構造、材料、または動作を含む意図がある。本明細書の記述は、例示及び説明目的で提示されているが、包括的である、または開示される形態の実施形態に限定的である意図はない。本開示の範囲から逸脱することなく、数多くの変更及び変形が、当業者には明らかであろう。実施形態は、本開示の原理及び実際的応用を最も良く説明し、他の当業者が、意図する特定用途に適した様々な変更を伴う様々な実施形態を理解できるように、選択され、記載された。
【００７２】
本実施形態は、統合の任意の可能な技術的詳細レベルにおけるシステム、方法、及び／またはコンピュータプログラム製品であり得る。コンピュータプログラム製品は、プロセッサに本開示の態様を実行させるためのコンピュータ可読プログラム命令を有するコンピュータ可読記憶媒体（複数可）を含み得る。
【００７３】
コンピュータ可読プログラム命令は、スタンドアロンソフトウェアパッケージとして、完全にユーザのモバイル装置上で、または部分的にユーザのモバイル装置上で実行され得る、あるいは部分的にユーザのモバイル装置上及び部分的にリモートコンピュータ上で、または完全にリモートコンピュータもしくはサーバ上で実行され得る。後者のシナリオでは、リモートコンピュータは、ローカルエリアネットワーク（ＬＡＮ）または広域ネットワーク（ＷＡＮ）を含む任意の種類のネットワークを介してユーザのモバイル装置に接続され得る、または外部コンピュータへ接続され得る（例えばインターネットサービスプロバイダを使用するインターネットを介して）。いくつかの実施形態では、例えばプログラマブル論理回路、フィールドプログラマブルゲートアレイ（ＦＰＧＡ）、またはプログラマブル論理アレイ（ＰＬＡ）を含む電子回路は、本開示の態様を実行するために、コンピュータ可読プログラム命令の状態情報を利用して電子回路をカスタマイズすることにより、コンピュータ可読プログラム命令を実行し得る。
【００７４】
図面中のフローチャート及びブロック図は、様々な実施形態によるシステム、方法、及びコンピュータプログラム製品の可能な実施態様のアーキテクチャ、機能、及び動作を例示する。これに関して、フローチャートまたはブロック図における各ブロックは、指定される論理機能（複数可）を実行するための１つ以上の実行可能命令を含むモジュール、セグメント、または命令部分を表し得る。いくつかの代替的な実施態様では、ブロックに記される機能は、図面に記される順番以外でも起こり得る。例えば、連続して示される２つのブロックは実際には、ほぼ同時に実行されてもよく、または、関与する機能に応じて時にブロックは逆の順序で実行されてもよい。ブロック図及び／またはフローチャート図解の各ブロック、並びにブロック図及び／またはフローチャート図解内のブロックの組み合わせは、指定される機能もしくは動作を実行する、または専用ハードウェア及びコンピュータ命令の組み合わせを実行する専用ハードウェアベースシステムにより実施可能であることにも留意されたい。
【００７５】
様々な実施形態の説明は、例示目的で提示されているが、包括的である、または開示される実施形態に限定的である意図はない。説明される実施形態の範囲及び趣旨から逸脱することなく、数多くの変更及び変形が当業者には明らかであろう。本明細書で使用される用語は、実施形態の原理、実際的応用、または市場で見出される技術に対する技術的改良を最もよく説明し、他の当業者が本明細書に開示される実施形態を理解できるように、選ばれた。
【００７６】
従って、本開示は、前述の説明によって限定されるものと理解されるべきではないが、添付の特許請求の範囲によってのみ限定される。
【図１】
2019517964.tif 000003
【図２】
2019517964.tif 000004
【図３】
2019517964.tif 000005
【図４】
2019517964.tif 000006
【図５】
2019517964.tif 000007
【図６】
2019517964.tif 000008
【図７】
2019517964.tif 000009
【図８】
2019517964.tif 000010
【国際調査報告】
2019517964.tif 000011
2019517964.tif 000012